(57)【特許請求の範囲】
【請求項１】
無線ネットワークのネットワークノード（２００、７００）によってサーブされるセル内のデータのコンテンションベースアップリンク送信の復号のために、前記ネットワークノード（２００、７００）によって実行される方法であって、
−  データのコンテンションベースアップリンク送信用に予約された無線リソース上のデータのコンテンションベースアップリンク送信のために、ワイヤレスデバイス（２０２、７０２）を登録すること（２：３、３００）と、
前記ワイヤレスデバイス（２０２、７０２）が前記セル内の前記無線リソース上のデータのコンテンションベースアップリンク送信のために登録されていることを示す確認応答であって、識別子を含む確認応答を、前記ワイヤレスデバイス（２０２、７０２）に送信すること（２：５、３０４）と、
−  前記セル内の前記無線リソース上のデータのコンテンションベースアップリンク送信のために登録されているワイヤレスデバイス及び前記識別子を考慮することによって、前記無線リソース上のコンテンションベースアップリンク送信のブラインド復号を実行すること（２：７、３０６）と、を含む方法。
【請求項２】
前記ネットワークノード（２００、７００）は、
−  前記無線リソース上の現在の負荷、
−  前記セル内の現在のトラフィック負荷、
−  前記ワイヤレスデバイス（２０２、７０２）から受信した信号の測定値、
−  登録済みワイヤレスデバイスの現在の数、
−  前記ワイヤレスデバイス（２０２、７０２）について有効なサブスクリプション設定、および
−  通信パラメータに関する前記ワイヤレスデバイス（２０２、７０２）のプリファレンス
のうちの少なくとも１つに基づいて、前記ワイヤレスデバイス（２０２、７０２）を登録するか否かを判断する、請求項１に記載の方法。
【請求項３】
前記ネットワークノード（２００、７００）は、
−  前記無線リソースが混雑していること、
−  前記ワイヤレスデバイス（２０２、７０２）から送信された信号の受信状態が良くないこと、
−  前記ワイヤレスデバイス（２０２、７０２）から登録解除要求が受信されたこと、
−  前記ワイヤレスデバイス（２０２、７０２）がいかなるデータも送信しない、予め規定された休止期間が満了したこと、および
−  前記ワイヤレスデバイス（２０２、７０２）が登録されている、予め規定された登録期間が満了したこと
のうちの少なくとも１つに基づいて、前記ワイヤレスデバイス（２０２、７０２）を登録解除する、請求項１または２に記載の方法。
【請求項４】
前記ワイヤレスデバイス（２０２、７０２）は、前記ワイヤレスデバイス（２０２、７０２）から登録要求を受信したときに登録される、請求項１から３のいずれか一項に記載の方法。
【請求項５】
無線ネットワークのネットワークノード（２００、７００）であって、前記ネットワークノード（２００、７００）は、前記ネットワークノード（２００、７００）によってサーブされるセル内のデータのコンテンションベースアップリンク送信の復号のために配置され、
−  データのコンテンションベースアップリンク送信用に予約された無線リソース上の、データのコンテンションベースアップリンク送信のためにワイヤレスデバイス（２０２、７０２）を登録し、
−  前記ワイヤレスデバイス（２０２、７０２）が前記セル内の前記無線リソース上のデータのコンテンションベースアップリンク送信のために登録されていることを示す確認応答であって、識別子を含む確認応答を、前記ワイヤレスデバイス（２０２、７０２）に送信し、
−  前記セル内の前記無線リソース上のデータのコンテンションベースアップリンク送信のために登録されているワイヤレスデバイス及び前記識別子を考慮することによって、前記無線リソース上のコンテンションベースアップリンク送信のブラインド復号を実行するように設定された手段を含む、ネットワークノード（２００、７００）。
【請求項６】
前記ネットワークノード（２００、７００）は、
−  前記無線リソース上の現在の負荷、
−  前記セル内の現在のトラフィック負荷、
−  前記ワイヤレスデバイス（２０２、７０２）から受信した信号の測定値、
−  登録済みワイヤレスデバイスの現在の数、
−  前記ワイヤレスデバイス（２０２、７０２）について有効なサブスクリプション設定、および
−  通信パラメータに関する前記ワイヤレスデバイス（２０２、７０２）のプリファレンス
のうちの少なくとも１つに基づいて、前記ワイヤレスデバイス（２０２、７０２）を登録するか否かを判断するように設定された、請求項５に記載のネットワークノード（２００、７００）。
【請求項７】
前記ネットワークノード（２００、７００）は、
−  前記無線リソースが混雑していること、
−  前記ワイヤレスデバイス（２０２、７０２）から送信された信号の受信状態が良くないこと、
−  前記ワイヤレスデバイス（２０２、７０２）から登録解除要求が受信されたこと、
−  前記ワイヤレスデバイス（２０２、７０２）がいかなるデータも送信しない、予め規定された休止期間が満了したこと、および
−  前記ワイヤレスデバイス（２０２、７０２）が登録されている、予め規定された登録期間が満了したこと
のうちの少なくとも１つに基づいて、前記ワイヤレスデバイス（２０２、７０２）を登録解除するように設定された、請求項５または６に記載のネットワークノード（２００、７００）。
【請求項８】
前記ネットワークノード（２００、７００）は、前記無線ネットワークの複数のセルにわたって有効な前記登録を行うために、少なくとも１つの他のネットワークノードに前記ワイヤレスデバイスの登録を転送するように設定された、請求項５から７のいずれか一項に記載のネットワークノード（２００、７００）。
【請求項９】
無線ネットワークのネットワークノード（２００、７００）が、前記ネットワークノード（２００、７００）によってサーブされるセル内のデータのコンテンションベースアップリンク送信を復号することを可能にするために、ワイヤレスデバイス（２０２、７０２）によって実行される方法であって、
−  データのコンテンションベースアップリンク送信用に予約された無線リソース上のデータのコンテンションベースアップリンク送信のために、前記ネットワークノード（２００、７００）に登録要求を送信すること（２：１、４００）と、
−  前記ワイヤレスデバイス（２０２、７０２）が前記セル内のデータのコンテンションベースアップリンク送信のために登録されていることを示す確認応答であって、識別子を含む確認応答を、前記ネットワークノード（２００、７００）から受信すること（２：５、４０２）と、
−  前記識別子を用いて前記無線リソース上でデータを送信し（２：６、４０４）、それにより、前記セル内の前記無線リソース上のデータのコンテンションベースアップリンク送信のために登録されているワイヤレスデバイスを考慮することによって、前記ネットワークノード（２００、７００）が、前記データのブラインド復号を実行することを可能にすることと、を含む方法。
【請求項１０】
前記ワイヤレスデバイスが登録解除されたことを示す登録解除メッセージが前記ネットワークノード（２００、７００）から受信された場合に、前記ワイヤレスデバイス（２０２、７０２）は、前記無線リソース上のデータ送信を抑制する、請求項９に記載の方法。
【請求項１１】
前記ワイヤレスデバイス（２０２、７０２）は、これ以上データを送信しないと決定したとき、前記ネットワークノード（２００、７００）に登録解除要求を送信する、請求項９または１０に記載の方法。
【請求項１２】
無線ネットワークのネットワークノード（２００、７００）が、前記ネットワークノード（２００、７００）によってサーブされるセル内のデータのコンテンションベースアップリンク送信を復号することを可能にするように配置されるワイヤレスデバイス（２０２、７０２）であって、
−  データのコンテンションベースアップリンク送信用に予約された無線リソース上のデータのコンテンションベースアップリンク送信のために、前記ネットワークノード（２００、７００）に登録要求を送信し、
−  前記ワイヤレスデバイス（２０２、７０２）が前記セル内のデータのコンテンションベースアップリンク送信のために登録されていることを示す確認応答であって、識別子を含む確認応答を、前記ネットワークノード（２００、７００）から受信し、
−  前記識別子を用いて前記無線リソース上でデータを送信し、それにより、前記セル内の前記無線リソース上のデータのコンテンションベースアップリンク送信のために登録されているワイヤレスデバイスを考慮することによって、前記ネットワークノード（２００、７００）が、前記データのブラインド復号を実行することを可能にするように設定された手段を含む、ワイヤレスデバイス（２０２、７０２）。
【請求項１３】
前記ワイヤレスデバイスが登録解除されたことを示す登録解除メッセージが前記ネットワークノード（２００、７００）から受信された場合に、前記ワイヤレスデバイス（２０２、７０２）は、前記無線リソース上のデータ送信を抑制するように設定された、請求項１２に記載のワイヤレスデバイス（２０２、７０２）。
【請求項１４】
前記ワイヤレスデバイス（２０２、７０２）は、これ以上データを送信しないと決定したとき、前記ネットワークノード（２００、７００）に登録解除要求を送信するように設定された、請求項１２または１３に記載のワイヤレスデバイス（２０２、７０２）。
【請求項１５】
少なくとも１つのプロセッサで実行されるときに、前記少なくとも１つのプロセッサに、請求項１から５および９から１１のいずれか一項に記載の前記方法を実行させる命令を含む、コンピュータプログラム。
【請求項１６】
請求項１５に記載の前記コンピュータプログラムを含むコンピュータ可読記憶媒体。
【発明の詳細な説明】
【技術分野】
【０００１】
本開示は、広く言えば、無線ネットワークのネットワークノードによってサーブされるセル内のデータのコンテンションベースアップリンク送信の復号のための、無線ネットワークのネットワークノード、ワイヤレスデバイス、およびそれらにおける方法に関する。
【背景技術】
【０００２】
モバイル通信またはワイヤレス通信の分野において、「ワイヤレスデバイス」または単に略して「デバイス」という用語は、例えば、モバイル電話、タブレット、およびラップトップコンピュータなどの、無線信号を送信および受信することによって無線ネットワークで無線通信が可能な任意のワイヤレス通信エンティティを表すために、本開示においてしばしば使用され、かつ使用されることとなる。本分野における別の共通用語は、「ユーザ機器（ＵＥ：Ｕｓｅｒ  Ｅｑｕｉｐｍｅｎｔ）」である。本文脈におけるワイヤレスデバイスは、例えば、ある間隔で、またはあるイベントに際して、無線ネットワークを介して報告を送信するように設定される、センサ、カウンタまたは測定エンティティなどの自動的に動作するマシンツーマシン型デバイスでもあり得る。
【０００３】
さらに、基地局、無線ノード、ｅ−ＮｏｄｅＢ、ｅＮＢ、ＮＢ、ベーストランシーバ基地局、アクセスポイントなどと呼ばれることもある「ネットワークノード」という用語は、無線信号をワイヤレスデバイスと通信するように配置される無線ネットワークの任意のノードを表すために、ここでは使用される。ここで説明するネットワークノードは、いくつかの従来例を述べると、いわゆるマクロ基地局、またはマイクロ、ピコ、フェムト、Ｗｉｆｉもしくはリレーノードなどの低電力基地局であってもよいが、限定はされない。本開示を通じて、「基地局」および「ＵＥ」という用語は、それぞれネットワークノードおよびワイヤレスデバイスに代えて代替的に使用され得る。
【０００４】
ワイヤレス通信用の典型的な無線ネットワークでは、多数の異なるワイヤレスデバイスが、無線ネットワーク内の異なるセルにサーブするネットワークノードにアップリンクデータチャネルを介してデータを送信することによって、頻繁に通信している。通常の手続きは、まず、データを送信しようとしているワイヤレスデバイスが、そのサービングネットワークノードにスケジューリング要求を送信し、次いで、例えばある周波数および／またはチャネル上のサブフレームに関して、データ送信用に予約されている無線リソースを指定するネットワークノードからのアップリンクグラントを待たなければならないというものである。この手続きは、アクセス予約と呼ばれることがある。
【０００５】
一方、多くのワイヤレスデバイスが不規則かつ予測不能な間隔で極めて小さな量のデータのみを送信する必要が頻繁にあるということが、ますます一般的になってきたため、各データ送信前の要求およびグラントを伴う上述のアクセス予約手続きが負担となり、シグナリングに多大な「オーバヘッド」を生じ、ワイヤレスデバイスおよびネットワークノード双方のハンドリングを遅延させている。このように、アクセス予約手続きは、比較的少量のデータを通信するために相当量の制御シグナリングおよび処理を必要とし、さらにデータ通信においてレイテンシをもたらす。別の欠点は、ワイヤレスデバイスにおける電力消費が大きいことである。その結果、そのようなデータ送信について、コンテンションベースアップリンク送信が上述のアクセス予約の代わりに採用され得ることが、第３世代パートナーシッププロジェクト（３ＧＰＰ：ｔｈｅ  Ｔｈｉｒｄ  Ｇｅｎｅｒａｔｉｏｎ  Ｐａｒｔｎｅｒｓｈｉｐ  ｐｒｏｊｅｃｔ）において提案されている。コンテンションベースアップリンク送信がどのように採用され得るかについていくつかの例が、ＷＯ２０１００５７５４０Ａ１に記載されている。
【０００６】
コンテンションベースアップリンク送信は、任意のワイヤレスデバイスが、２つ以上のデバイスがたまたま同時に送信する際の衝突の危険がある上で、共通の無線リソース上でサービングネットワークノードにデータを送信し得ることを意味する。セル内に存在するワイヤレスデバイスの数が限定されていて、衝突がめったに発生しない限り、これはうまく機能する。１つより多くのワイヤレスデバイスから同時に受信した送信が復号され得るように、いくつかのネットワークノードが、いわゆるマルチユーザ検出（ＭＵＤ：Ｍｕｌｔｉ−Ｕｓｅｒ  Ｄｅｔｅｃｔｉｏｎ）が可能な高度な受信機を備えている。
【０００７】
そのようなコンテンションベースアップリンク送信を受信するネットワークノードは、それぞれの潜在的な送信デバイスのいくつかの識別子に基づきいわゆる「ブラインド復号」を実行することによって、送信デバイスを判断し、送信されたデータを復号することができる。このことは、ネットワークノードが、その時点の１つの識別子に基づいて受信した送信を復号するように試みなければならず、したがって、受信したデータを潜在的に送信した可能性がある全てのワイヤレスデバイスの識別子を１つずつ検討することによって、セル内の全てのデバイスにわたるブラインド復号を実行することを意味する。
【０００８】
受信した送信のブラインド復号がどのように実行され得るかの例が、米国特許出願公開第２００９０１５４６０７（Ａ１）号に記載されている。
【０００９】
しかしながら、ネットワークノードが多数のワイヤレスデバイスにサーブしている場合、受信したコンテンションベースアップリンク送信を復号するために、これらのワイヤレスデバイスの全てにわたってブラインド復号を実行する必要があるということが問題である。図１は、コンテンションベースアップリンク送信の特徴が、例えば、そのような送信用に予約された特定の無線リソースまたはチャネル上で採用される場合の通信シナリオを示す。この図は、複数のワイヤレスデバイスＤ１〜Ｄ６が、セル１０２内のネットワークノード１００によってサーブされていることを示している。実際に、同一のネットワークノードによってサーブされているデバイスが非常に多数存在することがあり、この図は、単にこのことを概略的に示しているだけである。従来の手続きによれば、ネットワークノード１００は、受信したコンテンションベースアップリンク送信を識別および復号するために、これらのワイヤレスデバイスＤ１〜Ｄ６の全てにわたってブラインド復号を実行する。したがって、これは、デバイスの数が大きいときには極めて複雑かつ処理の重い動作である。復号に失敗するリスクもまた、セル内に存在する潜在的なワイヤレスデバイスの数に伴って増加し、したがって、送信デバイスは、そのデータを再送信することによって再試行しなければならない。
【００１０】
さらにデバイスＤ１〜Ｄ６が、異なる送信フォーマットまたは変調符号化方式（ＭＣＳ：Ｍｏｄｕｌａｔｉｏｎ  ａｎｄ  Ｃｏｄｉｎｇ  Ｓｃｈｅｍｅ）を使用可能である場合、それぞれの潜在的なワイヤレスデバイスが、可能性のある送信フォーマットまたはＭＣＳ全てについてネットワークノード１００によってテストされる必要がある。それによって、ネットワークノードは、多数のデバイスだけでなく可能性のある送信フォーマット全てにわたっても、ブラインド復号を実行することを必要とし、結果として、受信した送信それぞれについて膨大な数の可能性のある仮説が生じる。
【発明の概要】
【００１１】
本明細書で説明する実施形態の目的は、上記で概説した問題および課題の少なくともいくつかに対処することである。添付の独立請求項に記載される方法およびネットワークノードを使用することによって、この目的その他を達成することが可能である。
【００１２】
一態様によれば、方法は、無線ネットワークのネットワークノードによってサーブされるセル内のデータのコンテンションベースアップリンク送信の復号のために、そのネットワークノードによって実行される。この方法では、ネットワークノードは、データのコンテンションベースアップリンク送信用に予約された無線リソース上のデータのコンテンションベースアップリンク送信のためにワイヤレスデバイスを登録する。次いで、ネットワークノードは、セル内の無線リソース上のデータのコンテンションベースアップリンク送信のために登録されているワイヤレスデバイスを考慮することによって、無線リソース上のコンテンションベースアップリンク送信のブラインド復号を実行する。
【００１３】
別の態様によれば、無線ネットワークのネットワークノードは、ネットワークノードによってサーブされるセル内のデータのコンテンションベースアップリンク送信を復号するために配置される。ネットワークノードは、データのコンテンションベースアップリンク送信用に予約された無線リソース上のデータのコンテンションベースアップリンク送信のためにワイヤレスデバイスを登録するように設定された手段を含む。ネットワークノードはまた、セル内の無線リソース上のデータのコンテンションベースアップリンク送信のために登録されているワイヤレスデバイスを考慮することによって、無線リソース上のコンテンションベースアップリンク送信のブラインド復号を実行するように設定された手段を含む。
【００１４】
別の態様によれば、方法は、無線ネットワークのネットワークノードが、ネットワークノードによってサーブされるセル内のデータのコンテンションベースアップリンク送信を復号することを可能にするために、ワイヤレスデバイスによって実行される。この方法では、ワイヤレスデバイスが、データのコンテンションベースアップリンク送信用に予約された無線リソース上のデータのコンテンションベースアップリンク送信のためにネットワークノードに登録要求を送信する。次いで、ワイヤレスデバイスが、セル内のデータのコンテンションベースアップリンク送信のために登録されていることを示す確認応答を、ワイヤレスデバイスはネットワークノードから受信する。ワイヤレスデバイスはさらに、無線リソース上でデータを送信し、それにより、セル内の無線リソース上のデータのコンテンションベースアップリンク送信のために登録されているワイヤレスデバイスを考慮することによって、ネットワークノードが、データのブラインド復号を実行することを可能にする。
【００１５】
別の態様によれば、ワイヤレスデバイスは、無線ネットワークのネットワークノードが、ネットワークノードによってサーブされるセル内のデータのコンテンションベースアップリンク送信を復号することを可能にするように配置される。ワイヤレスデバイスは、データのコンテンションベースアップリンク送信用に予約された無線リソース上のデータのコンテンションベースアップリンク送信のために、ネットワークノードに登録要求を送信するように設定された手段を含む。ワイヤレスデバイスはまた、ワイヤレスデバイスがセル内のデータのコンテンションベースアップリンク送信のために登録されていることを示す確認応答を、ネットワークノードから受信するように設定された手段を含む。ワイヤレスデバイスはさらに、無線リソース上でデータを送信し、それにより、セル内の無線リソース上のデータのコンテンションベースアップリンク送信のために登録されているワイヤレスデバイスを考慮することによって、ネットワークノードが、データのブラインド復号を実行することを可能にするように設定された手段を含む。
【００１６】
上記ネットワークノード、ワイヤレスデバイス、およびそれらにおける方法は、以下で説明するさらなる特徴および利益を達成するために、異なる任意の実施形態に従って実装され、設定され得る。
【００１７】
少なくとも１つのプロセッサで実行されるときに、少なくとも１つのプロセッサに上記方法のいずれかを実行させる命令を含む、コンピュータプログラムも提供される。上記コンピュータプログラムを含む担体も提供され、担体は、電子信号、光信号、無線信号、または無形のコンピュータ可読記憶媒体のうちの１つである。
【００１８】
ここで、例示的な実施形態によって、および添付の図面を参照して、解決手段についてより詳細に説明する。
【図面の簡単な説明】
【００１９】
【図１】従来技術による、セル内でコンテンションベースアップリンク送信を受信するネットワークノードを示す通信シナリオである。
【図２】いくつかの考えられる実施形態による、ネットワークノードにおけるコンテンションベースアップリンク送信の復号のための手続きを示すブロック図である。
【図３】さらなる考えられる実施形態による、ネットワークノードにおける手続きを示すフローチャートである。
【図４】さらなる考えられる実施形態による、ワイヤレスデバイスにおける手続きを示すフローチャートである。
【図５】さらなる考えられる実施形態による、ネットワークノードにおける手続きの、より詳細な例を示す別のフローチャートである。
【図６】さらなる考えられる実施形態による、ワイヤレスデバイスにおける手続きの、より詳細な例を示す別のフローチャートである。
【図７】さらなる考えられる実施形態による、ネットワークノードおよびワイヤレスデバイスをより詳細に示すブロック図である。
【発明を実施するための形態】
【００２０】
簡潔に述べると、解決手段は、ネットワークノードによってサーブされるセル内のデータのコンテンションベースアップリンク送信を復号する、ネットワークノードにおけるプロセスを容易にするために提供される。上記で説明したように、従来の手続きでは、ネットワークノードは、そのようなコンテンションベースアップリンク送信を受信する際に、多数のワイヤレスデバイスにわたり、およびおそらく様々な可能性のあるＭＣＳをも介して、ブラインド復号を実行する必要がある。一方、本解決手段では、ネットワークノードは、セル内の無線リソース上のデータのコンテンションベースアップリンク送信のために登録されている、減少した数のワイヤレスデバイスだけを考慮することによって、無線リソース上で送信されたアップリンク信号のブラインド復号を実行することができる。これは、ネットワークノードが、ブラインド復号を実行する際に、このように登録されないセル内の任意の他のワイヤレスデバイスを無視することができ、この動作において考慮するデバイスの数を、それによって実質的に減少させることができるということを意味する。
【００２１】
さらに、ワイヤレスデバイスは、例えば、アップリンクおよびダウンリンクチャネル、ＭＣＳ、ハイブリッド自動再送要求（ＨＡＲＱ：Ｈｙｂｒｉｄ  ａｕｔｏｍａｔｉｃ  ｒｅｐｅａｔ  ｒｅｑｕｅｓｔ）、タイミングアドバンス、電力制御、ヘッダ圧縮などと呼ばれ得る、通信パラメータに関するプリファレンスとともに登録されていることもある。その場合、ネットワークノードは、送信時にどのＭＣＳが登録済みワイヤレスデバイスによって使用されるかを認識することができ、したがって、登録済みデバイスのプリファレンスに従って、可能性のあるＭＣＳへのブラインド復号を制限することができる。
【００２２】
ここで、この手続きのいくつかの特徴について、図２に示される通信シナリオを参照して概説する。図２は、セル内の様々なワイヤレスデバイスにサーブするネットワークノード２００を含み、図示されるワイヤレスデバイス２０２は、ネットワークノード２００によってサーブされる。この手続きでは、アクション２：１に示すように、ワイヤレスデバイス２０２は、データのコンテンションベースアップリンク送信のために登録要求をサービングネットワークノード２００に送信する。
【００２３】
例えば、ワイヤレスデバイス２０２は、極めて小さな量であるがいくつかの異なる機会に送信するデータを有すること、および、この送信パターンが、オーバヘッドシグナリングを回避するためにデータのコンテンションベースアップリンク送信によって利益を得ることを決定し、または検出した可能性がある。そのような送信挙動の例示的であるが非限定的な例は、ワイヤレスデバイスが、頻繁に測定報告を送信するように設定されたセンサなどであるとき、各報告が少量のデータを含むが、報告が、いくつかの方式に従って何回も送信される場合である。一般的には、ワイヤレスデバイス２０２は、いかなる理由でも、要求およびグラントを必要とする従来のアクセス予約手続きに関連するオーバヘッドシグナリングが、回避されるべきであるということを決定または検出した可能性がある。
【００２４】
登録要求を受信すると、別のアクション２：２に示すように、ネットワークノード２００は、ワイヤレスデバイス２０２を登録するか否かの決定を行う。この決定は、以下でより詳細に説明する様々な要因に基づき得る。この例では、ネットワークノード２００は、別のアクション２：３において、データのコンテンションベースアップリンク送信用に予約された特定の無線リソース上のデータのコンテンションベースアップリンク送信のためにワイヤレスデバイス２０２を登録する。ワイヤレスデバイス２０２からの登録要求を必要とする代わりとして、例えば、サブスクリプションまたは類似のものにおけるプリファレンスまたは設定に基づいて、コンテンションベース送信のために「より高いレベル」にワイヤレスデバイスが自動的に登録され得る。この場合、アクション２：１の登録要求は省略されることができ、よってシグナリングオーバーヘッドがさらに減少される。
【００２５】
いずれにしても、ネットワークノード２００は、別のアクション２：４によって示される、セル内の無線リソース上のデータのコンテンションベースアップリンク送信のために登録されているワイヤレスデバイスのセットにデバイス２０２を含めることによって、デバイス２０２を登録する。アクション２：４は、したがって、登録アクション２：３の一部であるものとみなすことができる。この登録済みワイヤレスデバイスのセット２００ａは、ネットワークノード２００内にリストなどとして維持され得る。リストは、ブラインド復号動作において使用され得るセット２００ａ内の各ワイヤレスデバイスの適当な識別子を少なくとも含み、場合により、それぞれのデバイスについて登録されているものがもしあれば、通信パラメータに関するプリファレンスも含み得る。
【００２６】
この例では、ネットワークノード２００はさらに、ワイヤレスデバイス２０２が登録されセットに含まれることを示すために、アクション２：５において、ワイヤレスデバイス２０２に確認応答を送信する。別のアクション２：６は、ワイヤレスデバイス２０２が、ある時点でデータのコンテンションベースアップリンク送信用に予約された無線リソース上でデータを送信することを示す。送信は、アクション２：３および２：４においてデバイスが登録され、登録済みワイヤレスデバイスのセットに追加されて以降、デバイスが効果的に行うことが可能である。
【００２７】
最後のアクション２：７は、ネットワークノード２００が、セット２００ａ内のワイヤレスデバイスを考慮することによって、したがって、セット２００ａ内にない、セル内の任意の他のワイヤレスデバイスを無視することによって、無線リソース上で送信されたアップリンク信号のブラインド復号を実行することを示す。例えば、ブラインド復号は、セット内の各ワイヤレスデバイスの識別子に基づき、このアクションでネットワークノードによって実行されてもよい。この識別子は、さらに、セル無線ネットワーク一時識別子（Ｃ−ＲＮＴＩ：Ｃｅｌｌ  Ｒａｄｉｏ  Ｎｅｔｗｏｒｋ  Ｔｅｍｐｏｒａｒｙ  Ｉｄｅｎｔｉｔｙ）であってもよい。ブラインド復号の実際の動作を実行するのに用いられる技術は、従来のものであってもよく、本解決手段のやや範囲外である。いずれにしても、ワイヤレスデバイス２０２は登録され、セットに含まれているため、ネットワークノードは、デバイス２０２を識別し、セット２００ａのみを考慮することによってその送信を復号することができる。
【００２８】
本解決手段の利点は、可能性のあるデバイスの数を上述のセット２００ａに制限することによって、かつ、もしあればそれらのプリファレンスに従って潜在的なＭＣＳの減少した数にも制限することによって、簡易化され、より信頼性の高いブラインド復号動作を含む。別の利点は、ネットワークノード２００が、セット内の登録済みデバイスの数に基づいて、セル内のデータのコンテンションベースアップリンク送信に必要な電流を推定することができ、その結果、ネットワークノード２００がそれに応じて柔軟かつ動的に、予約された無線リソースを設定し、調整することができるということである。
【００２９】
解決手段が採用されるとき、無線ネットワークのネットワークノードによって実行される手続きの例について、ここで図３のフローチャートを参照して説明する。この手続きでは、ネットワークノードは、以下のように、ネットワークノードによってサーブされるセル内のデータのコンテンションベースアップリンク送信の復号のために動作可能である。したがって、手続きは、ネットワークノードおよびワイヤレスデバイスを含み、ネットワークノードおよびワイヤレスデバイスは、それぞれ上述のネットワークノード２００およびワイヤレスデバイス２０２であってもよい。
【００３０】
第１のアクション３００は、ネットワークノードが、データのコンテンションベースアップリンク送信用に予約された無線リソース上のデータのコンテンションベースアップリンク送信のために、ワイヤレスデバイスを登録することを示す。このアクションは、ワイヤレスデバイスが、アクション３００の一部と見られ得る別のアクション３０２によって示されるように、セル内の無線リソース上のデータのコンテンションベースアップリンク送信のために登録されているワイヤレスデバイスのセットに含まれるように、行われ得る。任意のアクション３０４は、考えられる実施形態によれば、ワイヤレスデバイスが、無線リソース上のデータのコンテンションベースアップリンク送信のために登録され、それによってセットに含まれていることを示す確認応答を、ネットワークノードがワイヤレスデバイスに送信することができることを示す。
【００３１】
最後のアクション３０６は、ネットワークノードが、無線リソース上のデータのコンテンションベースアップリンク送信のために登録されているワイヤレスデバイス、即ちセット内のワイヤレスデバイスを考慮することによって、無線リソース上のコンテンションベースアップリンク送信のブラインド復号を実行することを示す。これは、ネットワークノードが、ブラインド復号を実行する際に、セット内にないセル内の任意の他の未登録ワイヤレスデバイスを無視することができることを意味しており、それが、上記で説明した利点である。それによって、図２について上述したのと同じ利点が達成され得る。
【００３２】
ネットワークノードに使用され得る、いくつかの任意であるが非限定的な実施形態について、ここで説明する。いくつかの考えられる実施形態では、ネットワークノードは、以下のうちの少なくとも１つに基づいて、ワイヤレスデバイスを登録するか否かを判断することができる。
−  無線リソース上の現在の負荷。即ち、データのコンテンションベースアップリンク送信用に予約された無線リソース上の、登録済みワイヤレスデバイスによって現在送信されているデータ量を指す。例えば、無線リソース上の現在の負荷が、最大限度に近いかまたは超えている場合、ネットワークノードは、衝突およびブラインド復号の失敗をもたらし得る無線リソース上の混雑を回避するために、ワイヤレスデバイスを登録しないことを決定してもよい。例えば、衝突が多いか、または信号受信状態が良くないことに起因してブラインド復号が頻繁に失敗する場合、ネットワークノードは、ブラインド復号を改善するために、セットから１つまたは複数のワイヤレスデバイスを削除することも可能である。
−  セル内の現在のトラフィック負荷。例えば、セル内の現在のトラフィック負荷が高く、あるレベルを超えている場合、ネットワークノードは、ワイヤレスデバイスを登録しないことを決定してもよい。
−  例えば、信号強度、信号品質、ビットエラーレート、ブロックエラーレートなどに関する、ワイヤレスデバイスから受信した信号の測定値。例えば、信号測定値が、信号の受信状態が十分良好であることを示している場合、ネットワークノードは、ワイヤレスデバイスを登録することを決定してもよく、一方、信号受信状態が良くない場合、ワイヤレスデバイスからの送信を復号することが困難となるため、ネットワークノードは、ワイヤレスデバイスを登録しないことを決定してもよい。
−  登録済みの、したがってセットに含まれる、ワイヤレスデバイスの現在の数。例えば、登録済みのワイヤレスデバイスの数が、最大限度を下回ったままである場合にのみ、ネットワークノードは、ワイヤレスデバイスを登録することを決定してもよい。セット内の登録済みデバイスの最大数は、例えば、無線リソース上の現在の負荷、および／またはセル内の現在のトラフィック負荷に依存して変動可能であってもよい。例えば、無線リソース上の現在の負荷が比較的低いとき、現在の負荷が比較的高いときよりも多くの数のデバイスが、セット内に登録可能とされてもよい。
−  ワイヤレスデバイスに有効なサブスクリプション設定。例えば、ワイヤレスデバイスは、例えば、随時もしくはある時間に、および／またはある状況下で、無線リソース上のデータのコンテンションベースアップリンク送信のためにワイヤレスデバイスを登録可能にするサブスクリプションを有することができる。
−  通信パラメータに関するワイヤレスデバイスのプリファレンス。いくつかの例示的であるが非限定的な例を述べると、例えば、アップリンクおよびダウンリンクチャネル、特定のＭＣＳ、特定のＨＡＲＱプロセス、あるタイミングアドバンス、電力制御、ヘッダ圧縮に関係するものである。
【００３３】
別の考えられる実施形態では、登録が実際上多少「周期的」であるように、ワイヤレスデバイスは、予め規定された期間の間、予め規定された時間間隔で登録されてもよい。それによって、例えば、衝突のリスクを低減または回避するために、ネットワークノードは、異なるワイヤレスデバイスに対して異なる時間間隔を割り当てることによって、送信トラフィックを分散させ、または分布させることができる。予め規定された期間および予め規定された時間間隔は、本実施形態では、デバイスのニーズに依存してさらに選択され、「適合」され得る。無線リソース上の負荷が時間的に分散されるように、同一の予め規定された時間間隔で２つ以上のワイヤレスデバイスを一緒にグループ化することも可能である。この場合、無線リソースの利用を増加または最大化するように、ある「合致する」デバイスが、同一の予め規定された時間間隔で、それらの機能および／またはニーズに従ってさらにグループ化されてもよい。
【００３４】
さらなる考えられる実施形態では、ネットワークノードは、以下のうちの少なくとも１つに基づいて、ワイヤレスデバイスをセットから登録解除および削除することができる。
−  無線リソースが混雑していること。例えば、無線リソース上の送信が多すぎる結果としての多くの衝突に起因して、アクション３０６のブラインド復号がしばしば失敗することを意味する。
−  ワイヤレスデバイスから送信された信号の受信状態が良くないこと。上述のように、そのデバイスからの信号受信状態が良くないことに起因してブラインド復号が失敗しやすい場合、ネットワークノードは、セットからワイヤレスデバイスを削除してもよい。
−  ワイヤレスデバイスから登録解除要求が受信されたこと。例えば、それ以上送信すべきデータがないとき、またはコンテンションベース送信が機能せず、その結果再送信が頻繁に必要となると検出するときに、例えば、ワイヤレスデバイスは、これ以上データを送信しないことを決定してもよい。
−  ワイヤレスデバイスがいかなるデータも送信しない、予め規定された休止期間が満了したこと。これは、コンテンションベース送信が、少なくともしばらくの間は、ワイヤレスデバイスによってもはや必要とされないことを示す。ワイヤレスデバイスは、その場合、データのコンテンションベース送信の必要性が再び生じたときはいつでも登録済みとなるように、ネットワークノードに別の登録要求を自由に送信できる。
−  ワイヤレスデバイスが登録されている予め規定された登録期間が満了したこと。これは、アクション３００で、限られた期間、即ち、予め規定された登録期間が満了するまで、ワイヤレスデバイスが登録されることを意味する。
【００３５】
上述のように、ネットワークノードがワイヤレスデバイスから登録要求を受信すると、ワイヤレスデバイスが登録され得る。これは、別の考えられる実施形態である。さらに考えられる実施形態では、登録要求が、周知のメッセージである無線リソース制御（ＲＲＣ：Ｒａｄｉｏ  Ｒｅｓｏｕｒｃｅ  Ｃｏｎｔｒｏｌ）接続要求またはＲＲＣ接続再確立要求において、ネットワークノードによって受信され得る。
【００３６】
他の考えられる実施形態では、デバイスが使用することを意図し、または使用することを好む、通信パラメータに関するプリファレンスを、上述の登録要求が含み得る。そのようなプリファレンスのいくつかの非限定的な例は、好ましいアップリンクおよびダウンリンクチャネル、好ましいＭＣＳ、好ましいＨＡＲＱプロセス、好ましいタイミングアドバンス、好ましい電力制御機構、好ましいヘッダ圧縮などに関係し得る。それによって、ワイヤレスデバイスは、そのようなプリファレンスとともに登録されることができ、その結果、デバイスがそのデータのコンテンションベース送信をどのように実行するかをネットワークノードが認識することとなり、ブラインド復号動作がさらに容易となる。特に、ネットワークノードは、デバイスのプリファレンスで与えられる１つのＭＣＳに限定して復号を試みることができる。
【００３７】
さらに考えられる実施形態では、ネットワークノードが、ワイヤレスデバイスの登録要求においてプリファレンスを受け入れ、それらを登録し続けてもよい。または、例えば、プリファレンスが、非実用的と考えられ、もしくはいかなる理由でも受け入れられない場合、ネットワークノードが、登録において受信したプリファレンスを修正してもよい。トラフィック負荷などのいくつかの状況が変化した場合に、即ち、デバイスが登録されたままで、登録済みワイヤレスデバイスのセット内に存在する間はいつでも、ネットワークノードは、登録において受信したプリファレンスを、ある時間後にさらに修正してもよい。
【００３８】
別の考えられる実施形態では、ネットワークノードは、通信パラメータに関するワイヤレスデバイスのプリファレンスに基づいて、異なる無線リソース上のデータのコンテンションベースアップリンク送信のために登録済みワイヤレスデバイスの異なるセットを生成することができる。それによって、ネットワークノードは、例えば、無線リソースの利用を最適化するために、異なる無線リソース上の異なるワイヤレスデバイスを一緒にグループ化することが可能である。例えば、ある挙動に従って送信するとみられるデバイスが、補足的な、または合致する挙動に従って送信するとみられる別のデバイスとともに無線リソースを使用するように割り当てられてもよい。別の例では、通信パラメータに関する同一または類似のプリファレンスを有するデバイスが、同一の無線リソースを使用するように割り当てられてもよく、ネットワークノード内のブラインド復号動作がさらに容易となる。
【００３９】
さらなる考えられる実施形態では、アクション３０４で送信される確認応答は、少なくともネットワークノードによってサーブされるセル内の、データのコンテンションベースアップリンク送信について有効な一時識別子を含んでもよく、それによってネットワークノードは、一時識別子に基づいてブラインド復号を実行してもよい。
【００４０】
別の考えられる実施形態では、ネットワークノードは、無線ネットワークの複数のセルにわたって有効な登録を行うために、少なくとも１つの他のネットワークノードにワイヤレスデバイスの登録を転送してもよい。それによって、デバイスが複数のセルのうちの別の１つに移動し、デバイスの登録を受信した別のネットワークノードにハンドオーバされる度に、ワイヤレスデバイスは、新たな登録要求を送信する必要がなくなる。
【００４１】
解決手段が採用されるときにワイヤレスデバイスよって実行される手続きのさらなる例について、ここで、図４のフローチャートを参照して説明する。この手続きでは、ワイヤレスデバイスは、無線ネットワークのネットワークノードが、以下のようにネットワークノードによってサーブされるセル内のデータのコンテンションベースアップリンク送信を復号することを可能にするように動作可能である。この手続きでは、ワイヤレスデバイスは、上述のワイヤレスデバイス２０２であってもよく、ネットワークノードは、上述のネットワークノード２００であってもよい。
【００４２】
第１のアクション４００は、ワイヤレスデバイスが、データのコンテンションベースアップリンク送信用に予約された無線リソース上の、データのコンテンションベースアップリンク送信のためにネットワークノードに登録要求を送信することを示す。別のアクション４０２では、ワイヤレスデバイスは、ワイヤレスデバイスがセル内の無線リソース上のデータのコンテンションベースアップリンク送信のために登録されていることを示す確認応答をネットワークノードから受信する。ワイヤレスデバイスは、したがって、セル内のデータのコンテンションベースアップリンク送信のために登録されているワイヤレスデバイスのセットに含まれ得る。よって、アクション４０２は、前の図３の例におけるアクション３０４に対応し、ネットワークノードは、登録要求を受信したことに応答して上述のアクション３００および３０２を実行したと考えられる。
【００４３】
最後に示すアクション４０４で、ワイヤレスデバイスは、無線リソース上でデータを送信し、それによって、ネットワークノードは、アクション３０６について説明したやり方でセット内のワイヤレスデバイスを考慮することにより、データのブラインド復号を実行することが可能となる。さらにこの手続きでは、図２について上述したのと同じ利点が達成され得る。ネットワークノードは、図３について説明した実施形態のうちのいずれかを採用することができる。
【００４４】
いくつかの任意であるが限定はされない実施形態も、ここで説明されるワイヤレスデバイスに使用され得る。いくつかの考えられる実施形態では、ワイヤレスデバイスは、無線リソース制御（ＲＲＣ）接続要求またはＲＲＣ接続再確立要求において、登録要求を送信してもよい。別の考えられる実施形態では、ワイヤレスデバイスがセットから削除されることを示す登録解除メッセージがネットワークノードから受信された場合に、ワイヤレスデバイスは、無線リソース上でデータを送信することを抑制してもよい。そのような登録解除メッセージについては、図３について上記で説明した。別の考えられる実施形態では、例えば、それ以上送信すべきデータがない場合、またはコンテンションベース送信が適切に機能せず、デバイスに同じデータの再送信を頻繁に実行させることがある場合に、これ以上データを送信しないことを決定したとき、ワイヤレスデバイスがネットワークノードに登録解除要求を送信してもよい。
【００４５】
図３の手続きを実行する際にネットワークノードがどのように作動し得るかのより詳細な例について、ここで図５のフローチャートを参照して説明する。第１のアクション５００は、ネットワークノードが、無線リソース上のコンテンションベースアップリンク送信のためにワイヤレスデバイスから登録要求を受信することを示す。そのような登録要求については上記で説明した。続くアクション５０２で、ネットワークノードは、要求を許可するか否か、およびワイヤレスデバイスを登録済みデバイスのセットに含めることによって登録するか否かを決定する。そのような決定がどのようにしてネットワークノードで行われ得るかのいくつかの例が、図３について上記で説明されており、したがって、ここでは繰り返し説明しない。
【００４６】
例えば、無線リソースが現在混雑している、既に登録済みのワイヤレスデバイスの数が最大限度に達した、信号受信状態が悪すぎる、などの理由で、ネットワークノードは、アクション５０４の時点でデバイスの要求を拒否することを決定してもよい。ワイヤレスデバイスは、ある時点で別の登録要求をネットワークノードに送信することができ、プロセスはその後、破線矢印で示されるように、アクション５００に戻ることができる。
【００４７】
一方、ネットワークノードが、アクション５０２でデバイスの要求を許可することを決定する場合、ワイヤレスデバイスは、別のアクション５０６において、セル内の無線リソース上のデータのコンテンションベースアップリンク送信のために登録されているワイヤレスデバイスのセットに含まれる。ネットワークノードはまた、アクション５０８において、ワイヤレスデバイスが、セル内の無線リソース上のデータのコンテンションベースアップリンク送信のために現在登録されており、よってセットに含まれていることを示す確認応答を、ワイヤレスデバイスに送信する。それによって、ワイヤレスデバイスは、例えば、予め規定された期間の間に予め規定された時間間隔でなど、登録におけるある制約に従って、無線リソース上でデータを送信することが可能となる。
【００４８】
この手続きの次のアクション５１０は、ネットワークノードが、ワイヤレスデバイスを登録解除するかそれとも登録を維持するかを考慮し得ることを、概略的に示す。ワイヤレスデバイスが登録解除されない場合、アクション５１２で、ネットワークノードは、この場合上述のワイヤレスデバイスを含むセット内のワイヤレスデバイスを考慮することによって、無線リソース上で送信されたアップリンク信号のブラインド復号を実行する。別の破線矢印によって示されるように、アクション５１０および５１２は、繰り返され得る。
【００４９】
例えば、無線リソースが混雑してきた、信号受信状態が良くない、ワイヤレスデバイスが登録解除要求を送信した、ある最大休止期間よりも長くワイヤレスデバイスが休止していた、または、ある最大登録期間よりも長くワイヤレスデバイスが登録されたままとなっていた、などの理由で、アクション５１０において、ネットワークノードは、ある時点でワイヤレスデバイスを登録解除することを決定してもよい。このいずれかが発生した場合、アクション５１４で、ネットワークノードは、ワイヤレスデバイスを登録解除し、セットから削除する。アクション５１６で、ネットワークノードはまた、ワイヤレスデバイスがもはや登録されておらず、セットから削除されたことを示す登録解除メッセージを、ワイヤレスデバイスに送信する。最後のアクション５１８は、ネットワークノードが、上述のワイヤレスデバイスを除く更新されたセットに基づいて、無線リソース上のコンテンションベースアップリンク送信のブラインド復号を実行することを示す。ワイヤレスデバイスが別の登録要求をネットワークノードに送信する場合、プロセスは次いで、別の破線矢印で示されるようにアクション５００に戻ることができる。
【００５０】
図４の手続きを実行する際にワイヤレスデバイスがどのように作動し得るかのより詳細な例について、ここで図６のフローチャートを参照して説明する。第１のアクション６００は、ワイヤレスデバイスがネットワークノードに登録要求を送信することを示す。次いで、アクション６０２において、ワイヤレスデバイスは、登録要求がネットワークノードによって許可されたか否かを判断し、または検出する。例えば、ネットワークノードからの確認応答によって示されるように、許可された場合、ワイヤレスデバイスは、セル内の無線リソース上のデータのコンテンションベースアップリンク送信のために登録されているワイヤレスデバイスのセットに含められ、アクション６０４によって示されるように、ワイヤレスデバイスは、ある時点に無線リソース上でデータを送信する。それによって、ネットワークノードは、上記ワイヤレスデバイスを含むセット内のワイヤレスデバイスを考慮することによって、データのブラインド復号を実行することができる。
【００５１】
別のアクション６０６は、登録解除メッセージがネットワークノードから受信されたか否かを、ワイヤレスデバイスが判断し、または検出することを示す。受信されない場合、ワイヤレスデバイスは、無線リソース上でデータを送信するアクション６０４へ戻ることができる。一方、アクション６０６において登録解除メッセージがネットワークノードから受信された場合、このメッセージは、ワイヤレスデバイスがセットから削除されたことを示し、ワイヤレスデバイスはそれに応じて、アクション６０８によって示されるように、無線リソース上でデータを送信することを抑制する。ワイヤレスデバイスが別の登録要求をネットワークノードに送信する場合、プロセスはその後、破線矢印で示されるようにアクション６００に戻ることができる。
【００５２】
図７のブロック図は、ネットワークノード７００およびワイヤレスデバイス７０２それぞれが、どのようにして上述の解決手段およびその実施形態をもたらすように構築され得るかの、詳細であるが非限定的な例を示す。この図では、ネットワークノード７００およびワイヤレスデバイス７０２は、適宜以下のように、上述の解決手段を採用する例および実施形態のうちのいずれかに従って動作するように設定され得る。第１のネットワークノード７００およびワイヤレスデバイス７０２のそれぞれは、本明細書で説明したやり方で、情報を伴う信号を送信および受信するための適当な機器とともに、プロセッサ「Ｐ」、メモリ「Ｍ」、および通信回路「Ｃ」を含むように示される。
【００５３】
ネットワークノード７００およびワイヤレスデバイス７０２のそれぞれの通信回路Ｃは、このように、実装に依存する無線通信用の適当なプロトコルを用いて、無線インターフェースを介して互いに通信するように設定された機器を含む。
【００５４】
ネットワークノード７００は、上述のやり方で、図３および５それぞれのフローチャートのアクション３００〜３０６および５００〜５１８のうちの少なくともいくつかを実行するように設定され、または配置される手段を含む。さらに、ワイヤレスデバイス７０２は、上述のやり方で、図４および６それぞれのフローチャートのアクション４００〜４０４および６００〜６０８のうちの少なくともいくつかを実行するように設定され、または配置される手段を含む。これらのアクションは、以下のように、ネットワークノード７００およびワイヤレスデバイス７０２におけるそれぞれのプロセッサＰ内の機能モジュールによって実行され得る。
【００５５】
ネットワークノード７００は、ネットワークノードによってサーブされるセル内のデータのコンテンションベースアップリンク送信の復号のために配置されている。ネットワークノード７００は、データのコンテンションベースアップリンク送信用に予約された無線リソース上のデータのコンテンションベースアップリンク送信のためにワイヤレスデバイス７０２を登録するように設定される手段を含む。これは、ワイヤレスデバイス７０２が、セル内の無線リソース上のデータのコンテンションベースアップリンク送信のために登録されているワイヤレスデバイスのセット７００ｂに含まれるように行われ得る。例えば、アクション３００および３０２について上記で説明したやり方で、この登録アクティビティが、ネットワークノード７００の登録モジュール７００ａによって実行され得る。
【００５６】
ネットワークノード７００はまた、セル内の無線リソース上のデータのコンテンションベースアップリンク送信のために登録されているワイヤレスデバイス、即ちセット７００ｂ内のワイヤレスデバイスを考慮することによって、無線リソース上のコンテンションベースアップリンク送信のブラインド復号を実行するように設定される手段を含む。例えば、アクション３０６について上記で説明したやり方で、この復号アクティビティが、ネットワークノード７００の復号モジュール７００ｃによって実行され得る。
【００５７】
ワイヤレスデバイス７０２は、無線ネットワークのネットワークノード７００が、ネットワークノード７００によってサーブされるセル内のデータのコンテンションベースアップリンク送信を復号することを可能にするように配置される。ワイヤレスデバイス７０２は、データのコンテンションベースアップリンク送信用に予約された無線リソース上のデータのコンテンションベースアップリンク送信のために、ネットワークノード７００に登録要求を送信するように設定される手段を含む。例えば、アクション４００について上記で説明したやり方で、このアクティビティが、ワイヤレスデバイス７０２の要求モジュール７０２ａによって実行され得る。
【００５８】
ワイヤレスデバイス７０２はまた、ワイヤレスデバイス７０２が登録されていることを示す確認応答を、ネットワークノード７００から受信するように設定される手段を含む。これは、ワイヤレスデバイス７０２が、セル内のデータのコンテンションベースアップリンク送信のために登録されているワイヤレスデバイスのセットに含まれるように行われ得る。例えば、アクション４０２について上記で説明したやり方で、この受信アクティビティが、ワイヤレスデバイス７０２の受信モジュール７０２ｂによって実行され得る。ワイヤレスデバイス７０２は、無線リソース上でデータを送信するように設定される手段をさらに含み、それにより、セル内の無線リソース上のデータのコンテンションベースアップリンク送信のために登録されているワイヤレスデバイス、即ちセット内のワイヤレスデバイスを考慮することによって、ネットワークノード７００が、データのブラインド復号を実行することを可能にする。例えば、アクション４０４について上記で説明したやり方で、この送信アクティビティが、ワイヤレスデバイス７０２の送信モジュール７０２ｃによって実行され得る。
【００５９】
図７は、ネットワークノード７００およびワイヤレスデバイス７０２それぞれにおける様々な機能モジュールを示し、当業者は、適当なソフトウェアおよびハードウェアを実際に使用してこれらの機能モジュールを実装することが可能であることに留意すべきである。したがって、解決手段は、一般的には、ネットワークノード７００およびワイヤレスデバイス７０２の図示された構造に限定されず、その中の機能モジュール７００ａ、７００ｃおよび７０２ａ〜７０２ｃが、適宜、本開示で説明した特徴および実施形態のいずれかに従って動作するように設定され得る。
【００６０】
上述の機能モジュール７００ａ、７００ｃおよび７０２ａ〜７０２ｃは、プロセッサＰによる実行時に、ネットワークノード７００およびワイヤレスデバイス７０２のそれぞれに上述のアクションおよび手続きを実行させるコード手段を備える、それぞれのコンピュータプログラムのプログラムモジュールによって、ネットワークノード７００およびワイヤレスデバイス７０２それぞれにおいて実装され得る。各プロセッサＰは、単一の中央処理装置（ＣＰＵ：Ｃｅｎｔｒａｌ  Ｐｒｏｃｅｓｓｉｎｇ  Ｕｎｉｔ）を備えてもよく、または、２つ以上の処理ユニットを備えてもよい。例えば、各プロセッサＰは、汎用マイクロプロセッサ、命令セットプロセッサおよび／もしくは関連するチップセット、ならびに／または特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）などの専用マイクロプロセッサを含んでもよい。各プロセッサＰは、キャッシュ用の記憶装置も備えてもよい。
【００６１】
各コンピュータプログラムは、コンピュータ可読媒体を有し、かつプロセッサＰに接続されているメモリの形式で、ネットワークノード７００およびワイヤレスデバイス７０２のそれぞれにおいて、コンピュータプログラム製品によって運搬されてもよい。ネットワークノード７００およびワイヤレスデバイス７０２のそれぞれのコンピュータプログラム製品またはメモリＭは、したがって、例えば、コンピュータプログラムモジュールなどの形式でコンピュータプログラムが記憶されている、コンピュータ可読媒体を含む。例えば、各ノードのメモリＭは、フラッシュメモリ、ランダムアクセスメモリ（ＲＡＭ：Ｒａｎｄｏｍ−Ａｃｃｅｓｓ  Ｍｅｍｏｒｙ）、読み出し専用メモリ（ＲＯＭ：Ｒｅａｄ−Ｏｎｌｙ  Ｍｅｍｏｒｙ）またはＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）であってもよく、プログラムモジュールは、代替の実施形態では、ネットワークノード７００およびワイヤレスデバイス７０２のそれぞれのメモリの形式で、異なるコンピュータプログラム製品上に配布されることができる。
【００６２】
本明細書で説明した解決手段は、命令を含むコンピュータプログラムによって、ネットワークノード７００およびワイヤレスデバイス７０２のそれぞれにおいて実装されてもよく、命令は、少なくとも１つのプロセッサ上で実行される際に、適宜、上記実施形態のいずれかによるアクションを、少なくとも１つのプロセッサに実行させる。解決手段は、ネットワークノード７００およびワイヤレスデバイス７０２のそれぞれにおいて、上記コンピュータプログラムを含む担体に実装されてもよく、担体は、電子信号、光信号、無線信号、またはコンピュータ可読記憶媒体のうちの１つである。
【００６３】
ブラインド復号は、Ｃ−ＲＮＴＩ、またはデータのコンテンションベースアップリンク送信用に予約された無線リソース上のデータのコンテンションベースアップリンク送信のために特に割り当てられたいくつかの一時識別子などの、セット内の各ワイヤレスデバイスの識別子に基づいて、ネットワークノードによって実行され得ることが上述された。実施形態のさらなる詳細について、ここで説明する。
【００６４】
ネットワークノードは、コンテンションベースアクセスのために登録されている全てのワイヤレスデバイスのリスト内のセットを維持し得る。解決手段は、コンテンションベースアクセス方式を考慮する。コンテンションベースアクセス方式では、ワイヤレスデバイスは、ＲＲＣ接続モードにあり、したがって、各ワイヤレスデバイスは、特定のＣ−ＲＮＴＩに対応する。ＰＵＳＣＨ上のレガシーアップリンクデータ送信では、受信機は、それぞれのワイヤレスデバイスのＣ−ＲＮＴＩによってスクランブルされたＣＲＣを検査することより、データを正確に復号したことを判断する。その場合、ネットワークノードは、１つのＣ−ＲＮＴＩのみ、即ち、そのリソース上でスケジュールされたワイヤレスデバイスのＣ−ＲＮＴＩのみを考慮する。
【００６５】
ＲＲＣ接続モードにあるワイヤレスデバイスのためのコンテンションベースアクセス／インスタントアクセスの場合、ネットワークノードは、どのワイヤレスデバイスが送信しているかについての知識を全く持たず、セル内の全てのワイヤレスデバイス、即ち、完全なＣ−ＲＮＴＩ空間を考慮しなければならなかった。本解決手段では、ネットワークノードは、無線リソース上のコンテンションベースデータ送信のために登録されているワイヤレスデバイスを考慮すればよいだけとなる。これらのワイヤレスデバイス、またはむしろそのＣ−ＲＮＴＩは、ネットワークノードにおけるリストに保持され、完全なＣ−ＲＮＴＩ空間のこのサブセットのみが、無線リソース上で受信された送信の復号のために考慮される。上述した登録は、単なる復号動作に関する例ではなく、デバイス識別子への復号成功につながるためのＣ−ＲＮＴＩの使用に限定されるものではないことに留意すべきである。
【００６６】
考えられる実装では、ネットワークノードは、ＵＥからのコンテンションベース登録要求を拒否することが可能であること、および登録解除メッセージを送信してワイヤレスデバイスをリストから削除することによって、登録済みデバイスのこのリストを完全に制御することができる。登録要求を承認／拒否すること、またはワイヤレスデバイスをリストに追加／削除することは、例えば、アップリンクの信号強度／品質測定、ブロック／ビットエラーレート、セル混雑／負荷状態などに関する信号受信状態に依存し得る。登録要求は、ＲＲＣ接続要求に含まれることができ、例えば、新たなＲＲＣ接続セットアップが発生するとき、ＮＡＳシグナリングなどを介してネゴシエートされてＲＲＣレベルで実行され得る。上述のように、要求に対する応答が、ＲＲＣ接続セットアップメッセージにおいて、ネットワークノードによってもたらされ得る。同様に、ＲＲＣ接続再確立要求は、登録要求を含むことができ、要求に対する応答は、ＲＲＣ接続再設定メッセージに含まれ得る。
【００６７】
ネットワークノードは、１つまたは複数のワイヤレスデバイスを登録解除することを選択してもよく、次いでセットから削除されることとなるこれらのワイヤレスデバイスに登録解除メッセージを送信してもよい。更新された登録済みセットは、次いで、どのワイヤレスデバイスがコンテンションベースアクセスについて認められるかを判断し、これらのデバイスは、無線リソース上のコンテンションベース送信を復号する動作における仮説として考慮される。
【００６８】
いくつかの考えられる実施形態では、登録情報は、例えば、ＭＣＳ，トラフィックパターン、拡張レベル、プロトコルプリファレンスなどに関する、様々なプリファレンスを含むことができる。いくつかの考えられるプリファレンスを以下に述べる。
コンテンションベースアクセス用のプロトコルプリファレンス：
・ＨＡＲＱ
・ＲＬＣ  ＡＭ／ＵＭ
・ヘッダ圧縮
・タイミングアドバンスプリファレンス
・電力制御パラメータプリファレンス
コンテンションベースアクセスのためのアップリンクチャネル用のプリファレンス：
・例えば、ＳＲ、ＣＱＩ、またはＡＣＫ／ＮＡＣＫに関するＰＵＣＣＨ
・ＰＵＳＣＨ
コンテンションベースアクセスのためのダウンリンクチャネル用のプリファレンス：
・例えば、電力制御コマンド、Ｈａｒｑ情報に関するＰＤＣＣＨ
・例えば、ＡＣＫ／ＮＡＣＫ手続きに関するＰＨＩＣＨ
・例えば、ＰＤＣＣＨ情報に関するＰＣＦＩＣＨ
【００６９】
さらに別の実施形態では、例えば、異なるカバレッジ拡張レベル、または設定における任意の他の違いについての、データのコンテンションベース送信用に予約された無線リソースの異なるグループがあってもよい。この場合、ワイヤレスデバイスは、任意のこれらのグループ個々について登録を実行してもよい。
【００７０】
解決手段について、特定の例示する実施形態を参照して説明してきたが、説明は、概して発明の概念を例証することを意図するのみであり、解決手段の範囲を限定するものとして取られるべきではない。例えば、「ネットワークノード」、「ワイヤレスデバイス」、「コンテンションベースアップリンク送信」、「無線リソース」、および「ブラインド復号」という用語が本開示を通して使用されているが、本明細書で説明した特徴および特性を有する任意の他の対応するエンティティ、機能、および／またはパラメータも、使用されてもよい。解決手段は、添付の特許請求の範囲に記載される。
【図１】
0006530057.tif 000002
【図２】
0006530057.tif 000003
【図３】
0006530057.tif 000004
【図４】
0006530057.tif 000005
【図５】
0006530057.tif 000006
【図６】
0006530057.tif 000007
【図７】
0006530057.tif 000008